(57)【要約】  移動局装置と、該移動局装置と通信を行う基地局装置とを具備する無線通信システムにおける基地局装置に、移動局装置に一定周期毎に無線リソースを割り当てるスケジューリング方式を適用し、スケジューリング方式に基づいて、一定周期毎に第１の信号の１回目の送信を行う第１送信手段と、１回目の送信が誤った場合に、所定のタイミングで２回目以降の送信を行う第２送信手段とを具備することにより達成される。
2009022669.tif 000002
【特許請求の範囲】
【請求項１】
移動局装置と、該移動局装置と通信を行う基地局装置とを具備する無線通信システムにおける基地局装置であって：
移動局装置に一定周期毎に無線リソースを割り当てるスケジューリング方式を適用し、
前記スケジューリング方式に基づいて、一定周期毎に第１の信号の１回目の送信を行う第１送信手段；
前記１回目の送信が誤った場合に、所定のタイミングで２回目以降の送信を行う第２送信手段；
を具備することを特徴とする基地局装置。
【請求項２】
請求項１に記載の基地局装置において：
前記所定のタイミングは、1回目の送信タイミングを開始タイミングとする周期的な送信タイミングであることを特徴とする基地局装置。
【請求項３】
請求項１に記載の基地局装置において：
前記所定のタイミングと1回目の送信タイミングとの差が固定されていることを特徴とする基地局装置。
【請求項４】
請求項１に記載の基地局装置において：
前記所定のタイミングは、1回目の送信タイミングからＨＡＲＱのＲｏｕｎｄ  Ｔｒｉｐ  Ｔｉｍｅだけ経過したタイミングを開始時点とした、所定の長さを有する区間であることを特徴とする基地局装置。
【請求項５】
請求項４に記載の基地局装置において：
前記所定の長さは、間欠受信再送タイマーであることを特徴とする基地局装置。
【請求項６】
移動局装置と、該移動局装置と通信を行う基地局装置とを具備する無線通信システムにおける移動局装置であって：
前記基地局装置は、移動局装置に一定周期毎に無線リソースを割り当てるスケジューリング方式を適用し、
前記スケジューリング方式に基づいて、一定周期毎に送信される第１の信号を受信する第１受信手段；
前記第１の信号が誤った場合に、所定のタイミングで２回目以降に送信される第１の信号を受信する第２受信手段；
を具備することを特徴とする移動局装置。
【請求項７】
請求項６に記載の移動局装置において：
前記所定のタイミングとは、1回目の送信タイミングを開始タイミングとする周期的な送信タイミングであることを特徴とする移動局装置。
【請求項８】
請求項６に記載の移動局装置において：
前記所定のタイミングと1回目の送信タイミングとの差が固定されていることを特徴とする移動局装置。
【請求項９】
請求項６に記載の移動局装置において：
前記所定のタイミングとは、1回目の送信タイミングからＨＡＲＱのＲｏｕｎｄ  Ｔｒｉｐ  Ｔｉｍｅだけ経過したタイミングを開始時点とした、所定の長さを有する区間であることを特徴とする移動局装置。
【請求項１０】
移動局装置と、該移動局装置と通信を行う基地局装置とを具備する無線通信システムにおける通信制御方法であって：
前記基地局装置は、移動局装置に一定周期毎に無線リソースを割り当てるスケジューリング方式を適用し、
前記基地局装置が、前記スケジューリング方式に基づいて、一定周期毎に第１の信号の１回目の送信を行う第１送信ステップ；
前記移動局装置が、前記スケジューリング方式に基づいて、一定周期毎に送信される第１の信号を受信する第１受信ステップ；
前記基地局装置が、前記１回目の送信が誤った場合に、所定のタイミングで２回目以降の送信を行う第２送信ステップ；
前記移動局装置が、前記第１の信号が誤った場合に、所定のタイミングで２回目以降に送信される第１の信号を受信する第２受信ステップ；
を有することを特徴とする通信制御方法。
【発明の詳細な説明】
【技術分野】
【０００１】
本発明は、無線通信システムに関し、特に基地局装置及び移動局装置並びに通信制御方法に関する。
【背景技術】
【０００２】
Ｗ−ＣＤＭＡやＨＳＤＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＬＴＥは、上りリンク、下りリンクともに１つないし２つ以上の物理チャネルを複数の移動局で共有して通信を行うシステムである。複数の移動局で共有されるチャネルは、一般に共有チャネルと呼ばれ、ＬＴＥにおいては、上りリンクにおいては物理上りリンク共有チャネル（Ｐｈｙｓｉｃａｌ  Ｕｐｌｉｎｋ  Ｓｈａｒｅｄ  Ｃｈａｎｎｅｌ  ：ＰＵＳＣＨ）であり、下りリンクにおいては物理下りリンク共有チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）である。また、共有チャネルは、論理チャネルとしては、上りリンクにおいては上りリンク共有チャネル（ＵＬ−ＳＣＨ：  Ｕｐｌｉｎｋ  Ｓｈａｒｅｄ  Ｃｈａｎｎｅｌ）であり、下りリンクにおいては下りリンク共有チャネル（ＤＬ−ＳＣＨ：  Ｄｏｗｎｌｉｎｋ  Ｓｈａｒｅｄ  Ｃｈａｎｎｅｌ）である。【０００６】
そして、上述したような共有チャネルを用いた通信システムにおいては、サブフレーム（Ｓｕｂ−ｆｒａｍｅ）（ＬＴＥでは１ｍｓ）毎に、どの移動局装置に対して共有チャネルを割り当てるかをシグナリングする必要があり、シグナリングのために用いられる制御チャネルは、ＬＴＥでは、物理下りリンク制御チャネル（ＰＤＣＣＨ：  Ｐｈｙｓｉｃａｌ  Ｄｏｗｎｌｉｎｋ  Ｃｏｎｔｒｏｌ  Ｃｈａｎｎｅｌ）または、下りリンク  Ｌ１／Ｌ２制御チャネル（ＤＬ  Ｌ１／Ｌ２  Ｃｏｎｔｒｏｌ  Ｃｈａｎｎｅｌ：  Ｄｏｗｎｌｉｎｋ  Ｌ１／Ｌ２  Ｃｏｎｔｒｏｌ  Ｃｈａｎｎｅｌ）と呼ばれる。また、物理下りリンク制御チャネルは、送信電力制御用のコマンドや上りリンクの共有チャネルに対する送達確認情報等の通知のためにも用いられる。【０００７】
物理下りリンク制御チャネルの情報には、例えば、制御チャネルフォーマットインジケータ（Ｃｏｎｔｒｏｌ  Ｃｈａｎｎｅｌ  Ｆｏｒｍａｔ  Ｉｎｄｉｃａｔｏｒ）、ダウンリンク  スケジューリング  インフォメーション（Ｄｏｗｎｌｉｎｋ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンク  スケジューリング  グラント（Ｕｐｌｉｎｋ  Ｓｃｈｅｄｕｌｉｎｇ  Ｇｒａｎｔ）等が含まれる（例えば、非特許文献２参照）。尚、前記制御チャネルフォーマットインジケータは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）と呼ばれてもよい。【０００８】
また、Ｄｏｗｎｌｉｎｋ  Ｓｃｈｅｄｕｌｉｎｇ  Ｉｎｆｏｒｍａｔｉｏｎには、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。また、Ｕｐｌｉｎｋ  Ｓｃｈｅｄｕｌｉｎｇ  Ｇｒａｎｔには、例えば、上りリンクの共有チャネルに関する、上りリンクのリソースブロック（Ｒｅｓｏｕｒｃｅ  Ｂｌｏｃｋ）の割り当て情報、ＵＥのＩＤ、データサイズ、変調方式、上りリンクの送信電力情報、Ｕｐｌｉｎｋ  ＭＩＭＯにおけるデモジュレーション  レファレンス  シグナル（Ｄｅｍｏｄｕｌａｔｉｏｎ  Ｒｅｆｅｒｅｎｃｅ  Ｓｉｇｎａｌ）の情報等が含まれる。【０００９】
また、ＬＴＥでは、上述した共有チャネルを用いた通信において、ＭＡＣ  ｌａｙｅｒにおいてＨＡＲＱが適用される。例えば、下りリンクに関しては、移動局装置は、下りリンクの共有チャネルの復号を行い、その復号結果（ＣＲＣ  ｃｈｅｃｋ結果）に基づいた送達確認情報Ａｃｋｎｏｗｌｅｄｇｅｍｅｎｔ  ｉｎｆｏｒｍａｔｉｏｎを上りリンクの制御チャネルを用いて、基地局装置に送信する。そして、基地局装置は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。一方、上りリンクに関しては、基地局装置は、上りリンクの共有チャネルの復号を行い、その復号結果（ＣＲＣ  ｃｈｅｃｋ結果）に基づいた送達確認情報Ａｃｋｎｏｗｌｅｄｇｅｍｅｎｔ  ｉｎｆｏｒｍａｔｉｏｎを下りリンクの制御チャネルを用いて、移動局装置に送信する。そして、移動局装置は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。尚、前記下りリンクの制御チャネルは、物理ＨＡＲＱインジケータチャネル（ＰＨＩCH:  Ｐｈｙｓｉｃａｌ  ＨＡＲＱ  Ｉｎｄｉｃａｔｏｒ  Ｃｈａｎｎｅｌ）と呼ばれてもよい。【００１０】
ここで、下りリンクにおけるＨＡＲＱは非同期ＨＡＲＱ（Asynchronous  HARQ）と呼ばれ、初回送信のタイミングに対する再送のタイミングは特に規定されていない。一方、上りリンクにおけるHARQは同期ＨＡＲＱ（Synchronous  HARQ）と呼ばれ、初回送信のタイミングに対する再送のタイミングは規定されている。具体的には、上りリンクにおける再送は、初回送信のタイミングを開始タイミングとして周期的な送信が行われる。図１及び図２に、Asynchronous  HARQとSynchronous  HARQの概要を示す。【００１１】
ところで、ＬＴＥでは、ＶｏＩＰやストリーミング等の、ある程度、一定の伝送速度となるパケットデータに対しては、ダイナミックに無線リソースを割り当てることにより、高効率化を図るベストエフォート型のスケジューリング方式ではなく、一定周期毎に無線リソースを割り当てるスケジューリング方式が提案されている（例えば、非特許文献３参照）。このスケジューリング方式は、例えば、パーシステント  スケジューリング（Ｐｅｒｓｉｓｔｅｎｔ  Ｓｃｈｅｄｕｌｉｎｇ）またはセミ  パーシステント  スケジューリング（Ｓｅｍｉ  Ｐｅｒｓｉｓｔｅｎｔ  Ｓｃｈｅｄｕｌｉｎｇ）と呼ばれる。【００１２】
パーシステント  スケジューリングを適用した場合の下りリンクの無線リソースの割り当て方法を示す。図３に示すように、基地局装置は、一定周期毎（同図においては２０ｍｓ毎）に、下りリンクの共有チャネルを送信する。パーシステント  スケジューリングにおいては、このように予め基地局装置と移動局装置との間で既知の送信タイミングで送受信を行うことにより、初回送信のための下りリンク  スケジューリング情報（DL  Scheduling  Information）を削減することが可能となり、下りリンクの無線リソースを有効に利用することが可能となる。また、移動局装置は、一定周期毎に下りリンクの受信を行えばよいため、バッテリー消費を低減することが可能となる。【００１３】
また、図４に示すように、あるパケットデータが誤って受信された場合には、基地局装置により、パケットデータが再送される。ここで、LTEにおける下りリンクの再送は非同期（Asynchronous）であり、パーシステント  スケジューリングにおいて、初回送信のタイミングから、再送の最小時間間隔であるHARQ  ラウンド  トリップ  タイム（RTT:  Round  Trip  Time）だけ経過した後の任意のタイミングにおいて、２回目以降の送信が行われる（図中の「再送されるタイミング」）。このとき、再送には、Downlink  Scheduling  Informationが付随する。すなわち、移動局装置は、該Downlink  Scheduling  Informationを受信することにより、２回目以降に送信されたパケットデータを受信することが可能となる。
【非特許文献１】3GPP TR 25.814 (V7.0.0), "Physical Layer Aspects for Evolved UTRA," June 2006
【非特許文献２】R1-070103, Downlink L1/L2 Control Signaling Channel Structure: Coding
【非特許文献３】R1-060099, Persistent Scheduling for E-UTRA, January, 2006
【発明の開示】
【発明が解決しようとする課題】
【００１４】
しかしながら、上述した背景技術には以下の問題がある。【００１５】
図５に示すように、基地局装置が、下りリンクにおいて送信すべきパケットデータを持たない場合を考える。この場合、基地局装置は、下りリンクにおいて何も送信しない。一方、移動局装置では、基地局装置が下りリンクにおいて何も送信しなかったのか、それとも、基地局装置は下りリンクにおいてパケットデータを送信したが、正しく受信できなかったのかの区別がつかないため、２回目以降に送信されるパケットデータの受信を試みる。結果として、移動局装置は、受信すべきデータが存在しないにも関わらず、再送されるかもしれないパケットデータの受信を試みる必要があり、バッテリーセービングを行うことができないという問題が生じる。【００１６】
そこで、本発明は、上述した課題に鑑み、その目的は、下りリンクにおいてパーシステント  スケジューリングが適用されるユーザデータの再送タイミングを限定することにより、効率良く、かつ、移動機の消費電力を低減することのできる基地局装置、移動局装置及び通信制御方法を提供することにある。
【課題を解決するための手段】
【００１７】
上記課題を解決するため、本発明の基地局装置は、
移動局装置と、該移動局装置と通信を行う基地局装置とを具備する無線通信システムにおける基地局装置であって：
移動局装置に一定周期毎に無線リソースを割り当てるスケジューリング方式を適用し、
前記スケジューリング方式に基づいて、一定周期毎に第１の信号の１回目の送信を行う第１送信手段；
前記１回目の送信が誤った場合に、所定のタイミングで２回目以降の送信を行う第２送信手段；
を具備することを特徴の１つとする。【００１８】
本発明の移動局装置は、
移動局装置と、該移動局装置と通信を行う基地局装置とを具備する無線通信システムにおける移動局装置であって：
前記基地局装置は、移動局装置に一定周期毎に無線リソースを割り当てるスケジューリング方式を適用し、
前記スケジューリング方式に基づいて、一定周期毎に送信される第１の信号を受信する第１受信手段；
前記第１の信号が誤った場合に、所定のタイミングで２回目以降に送信される第１の信号を受信する第２受信手段；
を具備することを特徴の１つとする。【００１９】
本発明の通信制御方法は、
移動局装置と、該移動局装置と通信を行う基地局装置とを具備する無線通信システムにおける通信制御方法であって：
前記基地局装置は、移動局装置に一定周期毎に無線リソースを割り当てるスケジューリング方式を適用し、
前記基地局装置が、前記スケジューリング方式に基づいて、一定周期毎に第１の信号の１回目の送信を行う第１送信ステップ；
前記移動局装置が、前記スケジューリング方式に基づいて、一定周期毎に送信される第１の信号を受信する第１受信ステップ；
前記基地局装置が、前記１回目の送信が誤った場合に、所定のタイミングで２回目以降の送信を行う第２送信ステップ；
前記移動局装置が、前記第１の信号が誤った場合に、所定のタイミングで２回目以降に送信される第１の信号を受信する第２受信ステップ；
を有することを特徴の１つとする。
【発明の効果】
【００２０】
本発明の実施例によれば、下りリンクにおいてパーシステント  スケジューリングが適用される移動通信システムにおいて、効率が良く、かつ、移動機の消費電力を低減することのできる基地局装置、移動局装置及び通信制御方法を実現することができる。
【図面の簡単な説明】
【００２１】
【図１】非同期ＨＡＲＱを示す説明図である。
【図２】同期ＨＡＲＱを示す説明図である。
【図３】パーシステント  スケジューリングを適用した場合の下りリンクの無線リソースの割り当てを示す説明図である。
【図４】パーシステント  スケジューリングを適用した場合の再送タイミングを示す説明図である。
【図５】パーシステント  スケジューリングを適用した場合の再送タイミングを示す説明図である。
【図６】本発明の実施例に係る無線通信システムの構成を示すブロック図である。
【図７】本発明の一実施例に係るパーシステント  スケジューリングが適用されるパケットデータに対するＨＡＲＱの再送方法を示す説明図である。
【図８】本発明の一実施例に係るパーシステント  スケジューリングが適用されるパケットデータに対するＨＡＲＱの再送方法を示す説明図である。
【図９】本発明の一実施例に係るパーシステント  スケジューリングが適用されるパケットデータのＨＡＲＱ処理における、移動局装置と基地局装置の処理を示す説明図である。
【図１０】本発明の一実施例に係るパーシステント  スケジューリングが適用されるパケットデータのＨＡＲＱ処理における、移動局装置と基地局装置の処理を示す説明図である。
【図１１】本発明の一実施例に係るパーシステント  スケジューリングが適用されるパケットデータのＨＡＲＱ処理における、移動局装置と基地局装置の処理を示す説明図である。
【図１２】本発明の一実施例に係る移動局装置を示す部分ブロック図である。
【図１３】本発明の一実施例に係る基地局装置を示す部分ブロック図である。
【図１４】本発明の一実施例に係る移動局装置における処理を示すフロー図である。
【図１５】本発明の一実施例に係る基地局装置における処理を示すフロー図である。
【符号の説明】
【００２２】
５０  セル
１００ｎ（１００１、１００２、１００３）  移動局
１０２  送受信アンテナ
１０４  アンプ部
１０６  送受信部
１０８  ベースバンド処理部
１０８１  Ｌ１（レイヤー１）受信処理部
１０８２  ＭＡＣ受信処理部
１０８３  ＲＬＣ受信処理部
１０８４  ＨＡＲＱ管理部
１０８１  Ｌ１（レイヤー１）送信処理部
１０８２  ＭＡＣ送信処理部
１０８３  ＲＬＣ送信処理部
１１０  アプリケーション部
２００  基地局装置
２０２  送受信アンテナ
２０４  アンプ部
２０６  送受信部
２０８  ベースバンド信号処理部
２０８１  Ｌ１（レイヤー１）受信処理部
２０８２  ＭＡＣ受信処理部
２０８３  ＲＬＣ受信処理部
２０８４  ＨＡＲＱ管理部
２０８１  Ｌ１（レイヤー１）送信処理部
２０８２  ＭＡＣ送信処理部
２０８３  ＲＬＣ送信処理部
２１０  呼処理部
２１２  伝送路インターフェース
３００  アクセスゲートウェイ装置
４００  コアネットワーク
【発明を実施するための最良の形態】
【００２３】
以下、本発明の実施例を、図面を参照しつつ説明する。実施例を説明するための全図において、同一機能を有するものは同一符号を用い、繰り返しの説明は省略する。【００２４】
図６を参照しながら、本発明の実施例に係る移動局装置及び基地局装置を有する無線通信システムについて説明する。【００２５】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００と、基地局装置２００と通信する複数の移動局装置１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０において基地局装置２００とＥｖｏｌｖｅｄ  ＵＴＲＡ  ａｎｄ  ＵＴＲＡＮにより通信を行っている。尚、前記アクセスゲートウェイ装置３００は、ＭＭＥ／ＳＧＷ(Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ)と呼ばれてもよい。【００２６】
各移動局（１００１、１００２、１００３、・・・１００ｎ）は、同一の構成、機能、状態を有するので、以下では特段の断りがない限り移動局１００ｎとして説明を進める。説明の便宜上、基地局装置と無線通信するのは移動局装置であるが、より一般的には移動端末も固定端末も含むユーザ装置（ＵＥ：  Ｕｓｅｒ  Ｅｑｕｉｐｍｅｎｔ）でよい。【００２７】
無線通信システム１０００では、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。【００２８】
ここで、Ｅｖｏｌｖｅｄ  ＵＴＲＡ  ａｎｄ  ＵＴＲＡＮにおける通信チャネルについて説明する。【００２９】
下りリンクについては、各移動局１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、物理下りリンク制御チャネル(ＰＤＣＣＨ：  Ｐｈｙｓｉｃａｌ  Ｄｏｗｎｌｉｎｋｇ  Ｃｏｎｔｒｏｌ  Ｃｈａｎｎｅｌ)とが用いられる。物理下りリンク制御チャネルは下りＬ１／Ｌ２制御チャネルとも呼ばれる。物理下りリンク共有チャネルにより、ユーザデータが伝送される。また、物理下りリンク制御チャネルにより、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ）、ダウンリンクスケジューリングインフォメーション（Ｄｏｗｎｌｉｎｋ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が伝送される。尚、前記ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ）は、物理制御フォーマットインジケータチャネル（ＰＣＦＩＣＨ：  Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）と呼ばれてもよい。また、前記ダウンリンクスケジューリングインフォメーションは、Ｄｏｗｎｌｉｎｋ  Ａｓｓｉｇｎｍｅｎｔ  ＩｎｆｏｒｍａｔｉｏｎまたはＤｏｗｎｌｉｎｋ  Ｓｃｈｅｄｕｌｉｎｇ  Ｇｒａｎｔと呼ばれてもよい。また、前記下りリンク  スケジューリング情報や上りリンク  スケジューリング  グラントは、まとめて、下り制御情報（Ｄｏｗｎｌｉｎｋ  Ｃｏｎｔｒｏｌ  Ｉｎｆｏｒｍａｔｉｏｎ）と呼ばれてもよい。【００３０】
Ｄｏｗｎｌｉｎｋ  Ｓｃｈｅｄｕｌｉｎｇ  Ｉｎｆｏｒｍａｔｉｏｎには、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。【００３１】
また、Ｕｐｌｉｎｋ  Ｓｃｈｅｄｕｌｉｎｇ  Ｇｒａｎｔには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。【００３２】
また、Ａｃｋｎｏｗｌｅｄｇｅｍｅｎｔ  ｉｎｆｏｒｍａｔｉｏｎ（ＡＣＫ／ＮＡＣＫ）とは、上りリンクの共有チャネルに関する送達確認情報のことである。前記Ａｃｋｎｏｗｌｅｄｇｅｍｅｎｔ  ｉｎｆｏｒｍａｔｉｏｎ（ＡＣＫ／ＮＡＣＫ）は、物理下りリンク制御チャネルではなく、物理ＨＡＲＱインジケータチャネル（ＰＨＩCH: Ｐｈｙｓｉｃａｌ  ＨＡＲＱ  Ｉｎｄｉｃａｔｏｒ  Ｃｈａｎｎｅｌ）によりマッピングされてもよい。【００３３】
上りリンクについては、各移動局１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、物理上りリンク制御チャネルとが用いられる。物理上りリンク共有チャネルにより、ユーザデータが伝送される。また、物理上りリンク制御チャネルにより、下りリンクにおける共有物理チャネルのスケジューリング処理や適応変復調及び符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。【００３４】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステント  スケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネル内のＵｐｌｉｎｋ  Ｓｃｈｅｄｕｌｉｎｇ  Ｇｒａｎｔを用いて、後続のサブフレームにおいて上りリンクの共有チャネルを用いて通信を行ってよいことを基地局装置が移動局に通知することを意味する。【００３５】
尚、上述したユーザデータとは、例えば、Ｗｅｂ  ｂｒｏｗｓｉｎｇやＦＴＰ、ＶｏＩＰ等によるＩＰパケットや、Ｒａｄｉｏ  Ｒｅｓｏｕｒｃｅ  Ｃｏｎｔｒｏｌ（ＲＲＣ）の処理のための制御信号などである。また、ユーザデータは、トランスポートチャネルとしての呼び方は、例えばDＬ−ＳＣＨやＵＬ−ＳＣＨでよく、論理チャネルとしての呼び方は、例えば、個別トラヒックチャネル（ＤＴＣＨ：  ｄｅｄｉｃａｔｅｄ  ｔｒａｆｆｉｃ  ｃｈａｎｎｅｌ）や個別制御チャネル（ＤＣＣＨ：  ｄｅｄｉｃａｔｅｄ  ｃｏｎｔｒｏｌ  ｃｈａｎｎｅｌ）でよい。【００３６】
パーシステント  スケジューリング、すなわち、一定周期毎に無線リソースが割り当てられるスケジューリング方法が適用されるパケットデータに対するＨＡＲＱの再送方法に関連し、図７及び図８を用いて、詳細に説明する。尚、パーシステント  スケジューリングは、セミパーシステント  スケジューリングと呼ばれてもよい。【００３７】
本実施例では、図７及び図８に示すように、基地局装置２００は、下りリンクにおいて、初回送信のパーシステント  スケジューリング（Ｐｅｒｓｉｓｔｅｎｔ  Ｓｃｈｅｄｕｌｉｎｇ）が適用されるユーザデータの復号結果（ＣＲＣ  ｃｈｅｃｋ結果）がＮＧの場合に、所定のタイミングにおいて、上記パーシステント  スケジューリング（Ｐｅｒｓｉｓｔｅｎｔ  Ｓｃｈｅｄｕｌｉｎｇ）が適用されるユーザデータの再送を行う。このとき、上記ユーザデータに付随して、上述した物理下りリンク制御チャネルにおけるＤｏｗｎｌｉｎｋ  Ｓｃｈｅｄｕｌｉｎｇ  Ｉｎｆｏｒｍａｔｉｏｎを用いて、再送のＰｅｒｓｉｓｔｅｎｔ  Ｓｃｈｅｄｕｌｉｎｇが適用されるパケットデータのためのＤｏｗｎｌｉｎｋ  Ｓｃｈｅｄｕｌｉｎｇ  Ｉｎｆｏｒｍａｔｉｏｎを、当該移動局装置１００ｎに送信する。【００３８】
ここで、所定のタイミングとは、例えば、図７に示すように、同期ＨＡＲＱ（Synchronous  HARQ）の再送タイミングで、パケットデータ（Persistent  Schedulingが適用される下りリンクの共有チャネル）の送信を行うことを意味する。同期ＨＡＲＱの再送タイミングとは、初回送信のタイミングに対して規定された再送のタイミングである。この場合、下りリンクにおける再送は、初回送信のタイミングを開始タイミングとして周期的な送信が行われる。【００３９】
あるいは、所定のタイミングとは、例えば、図８に示すように、ある一定の幅をもった送信タイミングで、パケットデータ（Persistent  Schedulingが適用される下りリンクの共有チャネル）の送信を行うことを意味する。図８においては、再送の最小時間間隔後の連続するサブフレーム（Sub-frame）Ｓ１、Ｓ２、Ｓ３が、再送タイミングに相当する。尚、同図において、一定の幅は３サブフレームであるが、３以外の値、例えば、１や２、あるいは４、５、・・・、といった値をとることも可能である。また、同図において、１回目の再送に関してのみ記載しているが、２回目以降の再送に関しても、同様に、或る一定の幅をもった送信タイミングで、パケットデータ（Persistent  Schedulingが適用される下りリンクの共有チャネル）の送信を行うことができる。【００４０】
尚、上述した、再送の最小時間間隔後の連続するサブフレーム（Sub-frame）Ｓ１、Ｓ２、Ｓ３は、再送タイマーと呼ばれてもよい。すなわち、再送の最少時間間隔後のサブフレームから、前記再送タイマー経過した区間が、前記再送のタイミングに相当する。図８の例では、再送タイマーは３ｍｓに設定されている。尚、前記再送タイマーは、間欠受信再送タイマーと呼ばれてもよい。【００４１】
ここで、前記再送の最小時間間隔は、HARQ RTT (RTT: Round Trip Time)と呼ばれてもよい。あるいは、前記再送の最小時間間隔は、HARQ RTT Timerと呼ばれてもよい。すなわち、HARQ RTT Timerは、あるHARQの送信が行われたタイミングから起動され、HARQのRTTだけ経過した場合に、満了する。例えば、LTEにおけるHARQ RTTは８ｍｓである。この場合、前記再送の最小時間間隔は８ｍｓである。この場合、前記間欠受信再送タイマーは、前記HARQ RTT Timerが満了し(図８におけるS1の直前のタイミング)、かつ、該パケットデータが正しく復号されていない場合に、起動され、前記間欠受信再送タイマーが起動されている場合（図８におけるS1,S2,S3）に、該パケットデータの再送が行われることになる。
ここで、「該パケットデータが正しく復号されていない」とは、該パケットデータが再送されるべきパケットデータであることを意味する。また、「該パケットデータが正しく復号されていない」とは、移動局の観点から見た場合、「該HARQプロセスのソフトバッファ内の該パケットデータが正しく復号されていない」という意味であってもよい。あるいは、「該パケットデータが正しく復号されていない」とは、基地局装置の観点から見た場合、「該HARQプロセスの該パケットデータに対する送達確認情報としてACKを受信していない」という意味であってもよい。
また、上述した、「前記間欠受信再送タイマーが起動されている場合に、該パケットデータの再送が行われる」とは、例えば、移動局の観点から見た場合、該パケットデータの再送のためのPDCCHの受信を試みる、すなわち、PDCCHをモニターするということを意味してもよい。上述した、「前記間欠受信再送タイマーが起動されている場合に、該パケットデータの再送が行われる」とは、例えば、基地局装置の観点から見た場合、該パケットデータの再送のためのPDCCHの送信を行うということを意味してもよい。【００４２】
一方、図９に示すように、基地局装置２００は、所定のタイミング（サブフレーム＃ｉ＋２）において、Ｐｅｒｓｉｓｔｅｎｔ  Ｓｃｈｅｄｕｌｉｎｇが適用されるユーザデータを送信し（ステップＳ６０２）、移動局装置１００ｎは、下りリンクにおいて、上記Ｐｅｒｓｉｓｔｅｎｔ  Ｓｃｈｅｄｕｌｉｎｇが適用されるユーザデータを復号し、該復号結果（ＣＲＣ  ｃｈｅｃｋ結果）がＯＫの場合には、基地局装置２００に対して、送信信号が適切に受信されたことを示す肯定応答(ＡＣＫ)を送達確認情報として送信する（ステップＳ６０４）。その結果、基地局装置２００は、Ｄｏｗｎｌｉｎｋ  Ｓｃｈｅｄｕｌｉｎｇ  Ｉｎｆｏｒｍａｔｉｏｎを、当該移動局装置１００ｎに送信しない。【００４３】
以下では、Ｐｅｒｓｉｓｔｅｎｔ  Ｓｃｈｅｄｕｌｉｎｇが適用されるユーザデータのＨＡＲＱの手順に関して、さらに詳細に説明を行う。【００４４】
まず、初回送信のＰｅｒｓｉｓｔｅｎｔ  Ｓｃｈｅｄｕｌｉｎｇが適用されるユーザデータの復号結果がＮＧの場合について、図１０を参照して説明する。【００４５】
基地局装置２００は、所定のタイミング（サブフレーム＃ｉ＋２）において、Ｐｅｒｓｉｓｔｅｎｔ  Ｓｃｈｅｄｕｌｉｎｇが適用されるユーザデータを送信する（ステップＳ６０２）。移動局１００ｎは、上記Ｐｅｒｓｉｓｔｅｎｔ  Ｓｃｈｅｄｕｌｉｎｇが適用されるユーザデータを受信し、上記Ｐｅｒｓｉｓｔｅｎｔ  Ｓｃｈｅｄｕｌｉｎｇが適用されるユーザデータの復号を行う。【００４６】
移動局１００ｎは、Ｐｅｒｓｉｓｔｅｎｔ  Ｓｃｈｅｄｕｌｉｎｇが適用されるユーザデータの復号結果（ＣＲＣ  ｃｈｅｃｋ結果）に応じて上りリンクの制御チャネルを用いてＡｃｋｎｏｗｌｅｄｇｅｍｅｎｔ  Ｉｎｆｏｒｍａｔｉｏｎを送信する。具体的には、ユーザデータの復号結果がＮＧの場合に、移動局１００ｎは、当該基地局装置２００に対して、送信信号が適切に受信されていないことを示す否定応答(ＮＡＣＫ)を送達確認情報として送信し、ユーザデータの復号結果がＯＫの場合に、移動局１００ｎは、当該基地局装置２００に対して、送信信号が適切に受信されたことを示す肯定応答(ＡＣＫ)を送達確認情報として送信する（ステップＳ６０４）。【００４７】
ここで、上記ユーザデータの復号結果がNGであり、移動局１００ｎから、送信信号が適切に受信されていないことを示す否定応答(ＮＡＣＫ)を送達確認情報として受信した場合には、基地局装置２００は、所定のタイミング（サブフレーム＃ｉ＋１０）において、Ｐｅｒｓｉｓｔｅｎｔ  Ｓｃｈｅｄｕｌｉｎｇが適用されるユーザデータの再送のためのＤｏｗｎｌｉｎｋ  Ｓｃｈｅｄｕｌｉｎｇ  Ｉｎｆｏｒｍａｔｉｏｎと、再送のＰｅｒｓｉｓｔｅｎｔ  Ｓｃｈｅｄｕｌｉｎｇが適用されるユーザデータを、移動局装置１００ｎに送信する（ステップＳ６０６）。例えば、基地局装置２００は、同期ＨＡＲＱ（Synchronous  HARQ）の再送タイミングで、物理下りリンク制御チャネルにより、Ｐｅｒｓｉｓｔｅｎｔ  Ｓｃｈｅｄｕｌｉｎｇが適用されるユーザデータの再送のためのＤｏｗｎｌｉｎｋ  Ｓｃｈｅｄｕｌｉｎｇ  Ｉｎｆｏｒｍａｔｉｏｎと、再送のＰｅｒｓｉｓｔｅｎｔ  Ｓｃｈｅｄｕｌｉｎｇが適用されるユーザデータを、移動局装置１００ｎに送信する。このＤｏｗｎｌｉｎｋ  Ｓｃｈｅｄｕｌｉｎｇ  Ｉｎｆｏｒｍａｔｉｏｎは、再送データに付随して送信される。【００４８】
移動局装置１００ｎは、Ｐｅｒｓｉｓｔｅｎｔ  Ｓｃｈｅｄｕｌｉｎｇが適用されるユーザデータの再送のためのＤｏｗｎｌｉｎｋ  Ｓｃｈｅｄｕｌｉｎｇ  Ｉｎｆｏｒｍａｔｉｏｎと、再送のＰｅｒｓｉｓｔｅｎｔ  Ｓｃｈｅｄｕｌｉｎｇが適用されるユーザデータを受信する（ステップＳ６０６）。その結果、移動局装置１００ｎは、再送されたパケットデータを受信することが可能となる。【００４９】
移動局１００ｎは、該再送されたパケットデータの復号を行い、該復号結果（ＣＲＣ  ｃｈｅｃｋ結果）に応じて上りリンクの制御チャネルにおけるＡｃｋｎｏｗｌｅｄｇｅｍｅｎｔ  Ｉｎｆｏｒｍａｔｉｏｎを送信する。具体的には、該再送されたパケットデータの復号結果がＮＧの場合に、移動局１００ｎは、当該基地局装置２００に対して、送信信号が適切に受信されていないことを示す否定応答(ＮＡＣＫ)を送達確認情報として送信し、該再送されたパケットデータの復号結果がＯＫの場合に、移動局１００ｎは、当該基地局装置２００に対して、送信信号が適切に受信されたことを示す肯定応答(ＡＣＫ)を送達確認情報として送信する（ステップＳ６０８）。【００５０】
上記再送されたパケットデータの復号結果がNGであり、移動局１００ｎから、送信信号が適切に受信されていないことを示す否定応答(ＮＡＣＫ)を送達確認情報として受信した場合には、基地局装置２００は、所定のタイミング（サブフレーム＃ｉ＋１８）において、Ｐｅｒｓｉｓｔｅｎｔ  Ｓｃｈｅｄｕｌｉｎｇが適用されるユーザデータの再送のためのＤｏｗｎｌｉｎｋ  Ｓｃｈｅｄｕｌｉｎｇ  Ｉｎｆｏｒｍａｔｉｏｎと、再送のＰｅｒｓｉｓｔｅｎｔ  Ｓｃｈｅｄｕｌｉｎｇが適用されるユーザデータを、移動局装置１００ｎに送信する（ステップＳ６１０）。  このように、２回目以降の再送に関しても、再送の最小時間後の送信タイミング、すなわち、同期ＨＡＲＱ（Synchronous  HARQ）の再送タイミング（サブフレーム＃ｉ＋１８）で、Ｐｅｒｓｉｓｔｅｎｔ  Ｓｃｈｅｄｕｌｉｎｇが適用されるユーザデータの再送のためのＤｏｗｎｌｉｎｋ  Ｓｃｈｅｄｕｌｉｎｇ  Ｉｎｆｏｒｍａｔｉｏｎと、再送のＰｅｒｓｉｓｔｅｎｔ  Ｓｃｈｅｄｕｌｉｎｇが適用されるユーザデータを、移動局装置１００ｎに送信する。また、上記同期ＨＡＲＱ（Synchronous  HARQ）の再送タイミングは、再送の最小時間後の送信タイミングである必要はなく、周期的な送信タイミングであれば、再送の最小時間（HARQ  ラウンド  トリップ  タイム（RTT:  Round  Trip  Time））以上経過した後の任意のタイミングにおいて、Ｐｅｒｓｉｓｔｅｎｔ  Ｓｃｈｅｄｕｌｉｎｇが適用されるユーザデータの再送のためのＤｏｗｎｌｉｎｋ  Ｓｃｈｅｄｕｌｉｎｇ  Ｉｎｆｏｒｍａｔｉｏｎと、再送のＰｅｒｓｉｓｔｅｎｔ  Ｓｃｈｅｄｕｌｉｎｇが適用されるユーザデータを、移動局装置１００ｎに送信してもよい。【００５１】
あるいは、図１１に示すように、基地局装置２００は、ある一定の幅をもった送信タイミングで、パケットデータ（Persistent  Schedulingが適用される下りリンクの共有チャネル）の送信を行うようにしてもよい（ステップＳ６１２）。図１１においては、再送の最小時間間隔後の連続するサブフレーム（Sub-frame）＃ｉ＋１０、＃ｉ＋１１及び＃ｉ＋１２が、再送タイミングに相当する。尚、同図において、一定の幅は３サブフレームであるが、３以外の値、例えば、１や２、あるいは４、５、・・・、といった値をとることも可能である。また、同図において、１回目の再送に関してのみ記載しているが、２回目以降の再送に関しても、同様に、或る一定の幅をもった送信タイミングで、パケットデータ（Persistent  Schedulingが適用される下りリンクの共有チャネル）の送信を行うことができる。このとき、基地局装置２００は、上記ある一定の幅をもった送信タイミングのいずれかのサブフレームで再送のパケットデータを送信する。【００５２】
このように、下りリンクにおいてパーシステント  スケジューリングが適用されるユーザデータの再送タイミングを限定することにより、移動局装置は、そのタイミングに受信を行えばよいため、バッテリーセービングを行うことができる。【００５３】
図１２を参照しながら、本発明の実施例に係る移動局１００ｎについて説明する。【００５４】
同図において、移動局１００ｎは、送受信アンテナ１０２と、アンプ部１０４と、送受信部１０６と、ベースバンド信号処理部１０８と、アプリケーション部１１０とを具備する。また、ベースバンド信号処理部１０８は、Ｌ１受信処理部１０８１と、第１及び第２受信手段としてのＭＡＣ受信処理部１０８２と、ＲＬＣ受信処理部１０８３と、Ｌ１送信処理部１０８５と、ＭＡＣ送信処理部１０８６と、ＲＬＣ送信処理部１０８７とを備える。また、ＭＡＣ受信処理部１０８２は、ＨＡＲＱ管理部１０８４を含む。【００５５】
下りリンクのデータについては、送受信アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理等がなされる。下りリンクのデータの内、下りリンクのユーザデータは、アプリケーション部１１０に転送される。アプリケーション部１１０は、物理レイヤーやＭＡＣレイヤー、RLCレイヤーより上位のレイヤーに関する処理等を行う。【００５６】
一方、上りリンクのユーザデータについては、アプリケーション部１１０からベースバンド信号処理部１０８に入力される。ベースバンド信号処理部１０８では、ＰＤＣＰレイヤーの送信処理や、RLCレイヤーの送信処理、再送制御（Ｈ−ＡＲＱ  （Ｈｙｂｒｉｄ  ＡＲＱ））の送信処理、チャネル符号化、ＤＦＴ処理、ＩＦＦＴ処理等が行われて送受信部１０６に転送される。送受信部１０６では、ベースバンド信号処理部１０８から出力されたベースバンド信号を無線周波数帯に変換する周波数変換処理が施され、その後、アンプ部１０４で増幅されて送受信アンテナ１０２より送信される。【００５７】
図７−図１１を用いて説明を行った、本実施例に係る、Ｐｅｒｓｉｓｔｅｎｔ  Ｓｃｈｅｄｕｌｉｎｇが適用されるユーザデータのＨＡＲＱに係る移動局装置における処理は、図１２におけるベースバンド信号処理部１０８において行われる。【００５８】
以下に、ベースバンド信号処理部１０８内のＬ１受信処理部１０８１と、ＭＡＣ受信処理部１０８２と、ＲＬＣ受信処理部１０８３と、ＨＡＲＱ管理部１０８４と、Ｌ１送信処理部１０８５と、ＭＡＣ送信処理部１０８６と、ＲＬＣ送信処理部１０８７の説明を行う。【００５９】
本発明は、下りリンクにおけるパーシステント  スケジューリングに係る発明であるため、以下では、下りリンクにおけるパーシステント  スケジューリングに係る部分のみを記載し、それ以外の部分は省略する。【００６０】
Ｌ１（レイヤー１）受信処理部１０８１では、初回送信のパーシステント  スケジューリングが適用されるユーザデータの受信タイミングにおいて（図１０及び図１１におけるサブフレーム＃ｉ＋２）、パーシステント  スケジューリングが適用されるユーザデータに関するFFT処理やチャネル復号化が行われる。そして、Ｌ１（レイヤー１）受信処理部１０８１は、該復号結果をMAC受信処理部１０８２に送信する。また、該復号結果がNGであり、パーシステント  スケジューリングが適用されるユーザデータが再送される場合には、Ｌ１受信処理部１０８１では、初回のＰｅｒｓｉｓｔｅｎｔ  Ｓｃｈｅｄｕｌｉｎｇが適用されるユーザデータの送信から所定のタイミング（図１０におけるサブフレーム＃ｉ＋１０及び図１１におけるサブフレーム＃ｉ＋１０、＃ｉ＋１１、＃ｉ＋１２）で再送データに関するFFT処理やチャネル復号化が行われる。この場合、再送されるユーザデータに付随するDownlink Scheduling Informationに関する復号化も行われる。すなわち、Downlink Scheduling Informationにより通知される情報に基づいて、再送されるユーザデータの復号処理が行われる。そして、Ｌ１受信処理部１０８１は、復号結果をMAC受信処理部１０８２に送信する。【００６１】
ＭＡＣ受信処理部１０８２は、Ｌ１受信処理部１０８１より復号された、初回送信のパーシステント  スケジューリングが適用されるユーザデータや、再送のユーザデータのためのＤｏｎｗｌｉｎｋ  Ｓｃｈｅｄｕｌｉｎｇ  Ｉｎｆｏｒｍａｔｉｏｎ、再送のユーザデータの復号結果を受信する。そして、ＭＡＣ処理部１０８２は、該復号結果をＨＡＲＱ管理部１０８４に入力する。ＨＡＲＱ管理部１０８４は、入力されたパーシステント  スケジューリングが適用されるユーザデータの復号結果に基づいて、上りリンクの制御チャネルを用いて送信されるＡｃｋｎｏｗｌｅｄｇｅｍｅｎｔ  Ｉｎｆｏｒｍａｔｉｏｎを生成する。具体的には、パーシステント  スケジューリングが適用されるユーザデータの復号結果がＯＫの場合にはＡＣＫを生成し、パーシステント  スケジューリングが適用されるユーザデータの復号結果がＮＧの場合にはＮＡＣＫを生成する。この上りリンクの制御チャネルを用いて送信されるＡｃｋｎｏｗｌｅｄｇｅｍｅｎｔ  Ｉｎｆｏｒｍａｔｉｏｎは、L1送信処理部１０８５、送受信部１０６、アンプ部１０４、アンテナ１０２を介して、基地局装置２００に送信される。【００６２】
L1受信処理部１０８１及びＭＡＣ受信処理部１０８２は、予め決められたＰｅｒｓｉｓｔｅｎｔ  Ｓｃｈｅｄｕｌｉｎｇが適用されるユーザデータの再送の受信タイミングにおいて、基地局装置２００からＰｅｒｓｉｓｔｅｎｔ  Ｓｃｈｅｄｕｌｉｎｇが適用される再送のユーザデータを受信するための受信処理を行う。例えば、図７−図１１を参照して説明したように、同期ＨＡＲＱの再送タイミングで、パケットデータ（Persistent  Schedulingが適用される下りリンクの共有チャネル）の受信を行う。あるいは、再送の最小時間間隔後のある一定の幅をもった送信タイミングで、パケットデータ（Persistent  Schedulingが適用される下りリンクの共有チャネル）の受信を行うようにしてもよい。【００６３】
このようにすることにより、移動局装置では、限定されたタイミングで受信処理を行うことができるため、余計な受信処理を低減できる。その結果、バッテリーセービングを行うことができる。【００６４】
次に、図１３を参照しながら、本実施例に係る基地局装置２００について説明する。【００６５】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。ベースバンド信号処理部２０８は、Ｌ１受信処理部１０８１と、ＭＡＣ受信処理部２０８２と、ＲＬＣ受信処理部２０８３と、Ｌ１送信処理部２０８５と、第１及び第２送信手段としてのＭＡＣ送信処理部２０８６と、ＲＬＣ送信処理部２０８７とを備える。また、MAC受信処理部１０８２は、ＨＡＲＱ管理部１０８４を含む。【００６６】
下りリンクにより基地局装置２００から移動局１００ｎに送信されるユーザデータは、基地局装置２００の上位に位置する上位局、例えばアクセスゲートウェイ装置３００から伝送路インターフェース２１２を介してベースバンド信号処理部２０８に入力される。【００６７】
ＲＬＣ送信処理部２０８７では、ユーザデータの分割・結合、ＲＬＣ（ｒａｄｉｏ  ｌｉｎｋ  ｃｏｎｔｒｏｌ）再送制御の送信処理などのＲＬＣレイヤーの送信処理が行われる。尚、ＲＬＣ送信処理部２０８７において、前記ＲＬＣレイヤーの送信処理に加えて、ＰＤＣＰレイヤーの処理が行われてもよい。また、ＭＡＣ送信処理部２０８６では、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われる。Ｌ１送信処理部２０８５では、逆高速フーリエ変換処理が行われた送信データを送受信部２０６に転送する。また、下りリンク制御チャネルである物理下りリンク制御チャネルの信号に関しても、チャネル符号化や逆高速フーリエ変換等の送信処理が行われて、送受信部２０６に転送される。【００６８】
ベースバンド信号処理部２０８から出力されたベースバンド信号は、送受信部２０６において、無線周波数帯に変換する周波数変換処理が施され、その後、アンプ部２０４で増幅されて送受信アンテナ２０２より送信される。【００６９】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００７０】
Ｌ１受信処理部２０８１では、入力されたベースバンド信号に含まれるユーザデータに対して、ＦＦＴ処理、ＩＤＦＴ処理、誤り訂正復号化処理等が行われる。ＭＡＣ受信処理部２０８２では、ＭＡＣ再送制御の受信処理が行われる。ＲＬＣ受信処理部２０８３では、ＲＬＣレイヤーの受信処理がなされる。ＲＬＣ受信処理部２０８３において、前記ＲＬＣレイヤーの受信処理に加えて、ＰＤＣＰレイヤーの受信処理が行われてもよい。ＲＬＣ受信処理部２０８３の出力信号は、伝送路インターフェース２１２を介してアクセスゲートウェイ装置３００に転送される。また、Ｌ１受信処理部２０８１は、上りリンクで送信される物理上りリンク制御チャネルにマッピングされるＣＱＩや送達確認情報の復調及び復号を行い、該復号結果を、ＭＡＣ受信処理部２０８２及びＭＡＣ送信処理部２０８６に通知する。【００７１】
図７−図１１を用いて説明を行った、本発明の実施例に係るＰｅｒｓｉｓｔｅｎｔ  Ｓｃｈｅｄｕｌｉｎｇが適用されるユーザデータのＨＡＲＱの処理に係る基地局装置２００の処理は、図１３におけるベースバンド信号処理部２０８において行われる。【００７２】
以下に、ベースバンド信号処理部２０８内のＬ１受信処理部２０８１と、ＭＡＣ受信処理部２０８２と、ＲＬＣ受信処理部２０８３と、ＨＡＲＱ管理部２０８４と、Ｌ１送信処理部２０８５と、ＭＡＣ送信処理部２０８６と、ＲＬＣ送信処理部２０８７の説明を行う。【００７３】
本発明は、下りリンクにおけるパーシステント  スケジューリングに係る発明であるため、以下では、下りリンクにおけるパーシステント  スケジューリングに係る部分のみを記載し、それ以外の部分は省略する。【００７４】
Ｌ１送信処理部２０８５は、パーシステント  スケジューリングが適用されるユーザデータの初回送信の送信タイミングにおいて（図１０及び図１１におけるサブフレーム＃ｉ＋２）、Ｐｅｒｓｉｓｔｅｎｔ  Ｓｃｈｅｄｕｌｉｎｇが適用されるユーザデータのチャネル符号化やＩＦＦＴ処理等を行う。また、初回送信のユーザデータに対する送達確認情報が否定応答であるNACKの場合には、初回のＰｅｒｓｉｓｔｅｎｔ  Ｓｃｈｅｄｕｌｉｎｇが適用されるユーザデータの送信から所定のタイミング（図１０におけるサブフレーム＃ｉ＋１０及び図１１におけるサブフレーム＃ｉ＋１０、＃ｉ＋１１、＃ｉ＋１２）で再送データに関するチャネル符号化やIFFT処理等を行う。この場合、再送されるユーザデータに付随するDownlink Scheduling Informationに関するチャネル符号化も行われる。すなわち、Downlink Scheduling Informationと再送されるユーザデータの送信処理を行う。尚、送達確認情報は、ＭＡＣ送信処理部２０８６内のＨＡＲＱ管理部２０８４より受け取る。【００７５】
ＭＡＣ送信処理部２０８６は、移動局装置１００ｎにおいて、Ｐｅｒｓｉｓｔｅｎｔ  Ｓｃｈｅｄｕｌｉｎｇが適用されるユーザデータが正常に受信できなかった場合、すなわち、移動局装置１００ｎより、送達確認情報として否定応答（NACK）を受信した場合に、所定のタイミング（図１０におけるサブフレーム＃ｉ＋１０及び図１１におけるサブフレーム＃ｉ＋１０、＃ｉ＋１１、＃ｉ＋１２）において、Ｐｅｒｓｉｓｔｅｎｔ  Ｓｃｈｅｄｕｌｉｎｇが適用されるユーザデータの再送のための制御信号としての下りリンクの制御チャネルにマッピングされるＤｏｗｎｌｉｎｋ  Ｓｃｈｅｄｕｌｉｎｇ  Ｉｎｆｏｒｍａｔｉｏｎと再送されるユーザデータを生成する。尚、送達確認情報に基づいたHARQの管理は、ＨＡＲＱ管理部２０８４で行われる。そして、該再送されるユーザデータ及びＤｏｗｎｌｉｎｋ  Ｓｃｈｅｄｕｌｉｎｇ  Ｉｎｆｏｒｍａｔｉｏｎは、Ｌ１送信処理部２０８５、送受信部２０６、アンプ部２０４、アンテナ２０２を介して、移動局装置１００ｎに送信される。ＲＬＣ送信処理部２０８７は、ＲＬＣレイヤーの送信処理を行う。【００７６】
Ｌ１受信処理部２０８１は、下りリンクで送信されたＰｅｒｓｉｓｔｅｎｔ  Ｓｃｈｅｄｕｌｉｎｇが適用されるユーザデータに対する送達確認情報を移動局装置１００ｎから受信する。Ｌ１受信処理部２０８１は、該送達確認情報をＭＡＣ送信処理部２０８６内のＨＡＲＱ管理部２０８４に通知する。【００７７】
ここで、上記所定のタイミング（図１０におけるサブフレーム＃ｉ＋１０及び図１１におけるサブフレーム＃ｉ＋１０、＃ｉ＋１１、＃ｉ＋１２）とは、例えば、図７−図１１を参照して説明したように、同期ＨＡＲＱの再送タイミングであってもよいし、あるいは、再送の最小時間間隔後のある一定の幅をもった送信タイミングであってもよい。【００７８】
尚、ＭＡＣ送信処理部２０８６は、上述した下りリンクで送信されるＰｅｒｓｉｓｔｅｎｔ  Ｓｃｈｅｄｕｌｉｎｇが適用されるユーザデータのＭＡＣ再送制御、例えばＨＡＲＱの送信処理以外に、パーシステント  スケジューリング処理、伝送フォーマットの選択処理、周波数リソースの割り当て処理等を行う。ここで、パーシステント  スケジューリング処理とは、当該サブフレームの下りリンクにおいて共有チャネルを用いてユーザデータの受信を行う移動局を選別する処理のことを指す。また、伝送フォーマットの選択処理とは、スケジューリングにおいて選別された移動局が受信するユーザデータに関する変調方式や符号化率、データサイズを決定する処理のことを指す。さらに、周波数リソースの割り当て処理とは、スケジューリングにおいて選別された移動局が受信するユーザデータに用いられるリソースブロックを決定する処理のことを指す。【００７９】
図７−図１１を用いて説明を行った、本発明の実施例に係るＰｅｒｓｉｓｔｅｎｔ  Ｓｃｈｅｄｕｌｉｎｇが適用されるユーザデータのＨＡＲＱの処理に係る基地局装置２００の処理は、図１３におけるＬ１送信処理部２０８５及びＭＡＣ送信処理部２０８６において行われる。すなわち、Ｌ１送信処理部２０８５及びＭＡＣ送信処理部２０８６は、予め決められたＰｅｒｓｉｓｔｅｎｔ  Ｓｃｈｅｄｕｌｉｎｇが適用されるユーザデータの送信タイミングにおいて、符号化・変調処理後のＰｅｒｓｉｓｔｅｎｔ  Ｓｃｈｅｄｕｌｉｎｇが適用されるユーザデータを送信する。そして、該Ｐｅｒｓｉｓｔｅｎｔ  Ｓｃｈｅｄｕｌｉｎｇが適用されるユーザデータの移動局装置１００ｎにおける復号結果に基づいて、移動局装置１００ｎにおいてＰｅｒｓｉｓｔｅｎｔ  Ｓｃｈｅｄｕｌｉｎｇが適用されるユーザデータを正常に受信しなかった場合に、Ｐｅｒｓｉｓｔｅｎｔ  Ｓｃｈｅｄｕｌｉｎｇが適用されるユーザデータの再送のための制御信号としての下りリンクの制御チャネルにマッピングされるＤｏｗｎｌｉｎｋ  Ｓｃｈｅｄｕｌｉｎｇ  Ｉｎｆｏｒｍａｔｉｏｎと再送されるユーザデータを生成し、該Ｄｏｗｎｌｉｎｋ  Ｓｃｈｅｄｕｌｉｎｇ  Ｉｎｆｏｒｍａｔｉｏｎと再送されるユーザデータを移動局１００nに送信する。また、Ｌ１受信処理部２０８１及びＨＡＲＱ管理部２０８４は、再送されたＰｅｒｓｉｓｔｅｎｔ  Ｓｃｈｅｄｕｌｉｎｇが適用されるユーザデータに対する送達確認情報Ａｃｋｎｏｗｌｅｄｇｅｍｅｎｔ  ｉｎｆｏｒｍａｔｉｏｎ（ＡＣＫ／ＮＡＣＫ）を受信する。【００８０】
呼処理部２１０は、通信チャネルの設定や解放等の呼処理や、基地局装置２００の状態管理や、無線リソースの管理を行う。【００８１】
図１４を参照しながら、本実施例に係る移動局装置で使用される通信制御方法について説明する。  
移動局装置２００は、予め決められたＰｅｒｓｉｓｔｅｎｔ  Ｓｃｈｅｄｕｌｉｎｇが適用されるユーザデータの受信タイミング（図１０及び図１１におけるサブフレーム＃ｉ＋２）において、基地局装置２００から送信される初回送信のＰｅｒｓｉｓｔｅｎｔ  Ｓｃｈｅｄｕｌｉｎｇが適用されるユーザデータの受信を試み（ステップＳ１４０２）、その復号結果がＮＧであるか否かを判定する（ステップＳ１４０４）。【００８２】
初回送信のＰｅｒｓｉｓｔｅｎｔ  Ｓｃｈｅｄｕｌｉｎｇが適用されるユーザデータの復号結果がＮＧである場合（ステップＳ１４０４：ＹＥＳ）、上りリンクの制御チャネルを用いて送信するＡｃｋｎｏｗｌｅｄｇｅｍｅｎｔ  Ｉｎｆｏｒｍａｔｉｏｎとして、ＮＡＣＫを送信する（ステップＳ１４０８）。【００８３】
初回のＰｅｒｓｉｓｔｅｎｔ  Ｓｃｈｅｄｕｌｉｎｇが適用されるユーザデータの送信から所定のタイミング（図１０におけるサブフレーム＃ｉ＋１０及び図１１におけるサブフレーム＃ｉ＋１０、＃ｉ＋１１、＃ｉ＋１２）で再送データを受信する（ステップＳ１４１０）。その後、ステップＳ１４０４に戻る。【００８４】
一方、初回送信のＰｅｒｓｉｓｔｅｎｔ  Ｓｃｈｅｄｕｌｉｎｇが適用されるユーザデータの復号結果がＮＧでない場合（ステップＳ１４０４：ＮＯ）、上りリンクの制御チャネルを用いて送信するＡｃｋｎｏｗｌｅｄｇｅｍｅｎｔ  Ｉｎｆｏｒｍａｔｉｏｎとして、ＡＣＫを送信する（ステップＳ１４０６）。【００８５】
図１５を参照しながら、本実施例に係る基地局装置２００に適用される通信制御方法について説明する。【００８６】
基地局装置２００は、予め決められたＰｅｒｓｉｓｔｅｎｔ  Ｓｃｈｅｄｕｌｉｎｇが適用されるユーザデータの送信タイミング（図１０及び図１１におけるサブフレーム＃ｉ＋２）において、移動局装置１００ｎにＰｅｒｓｉｓｔｅｎｔ  Ｓｃｈｅｄｕｌｉｎｇが適用されるユーザデータを送信する（ステップＳ１５０２）。【００８７】
基地局装置２００は、移動局１００ｎから、上りリンクの制御チャネルを受信し、該上りリンクの制御チャネルに含まれるＡｃｋｎｏｗｌｅｄｇｅｍｅｎｔ  ｉｎｆｏｒｍａｔｉｏｎ（ＡＣＫ／ＮＡＣＫ）として、ＮＡＣＫが受信されたか否かを判断する(ステップＳ１５０４)。【００８８】
ＮＡＣＫが受信されない場合、すなわち、ＡＣＫが受信された場合（ステップＳ１５０４：ＮＯ）、処理を終了する。【００８９】
ＮＡＣＫが受信された場合（ステップＳ１５０４：ＹＥＳ）、基地局装置２００は、初回のＰｅｒｓｉｓｔｅｎｔ  Ｓｃｈｅｄｕｌｉｎｇが適用されるユーザデータの送信から所定のタイミングで再送データを送信する（ステップＳ１５０６）。例えば、基地局装置２００は、所定のタイミング（図１０におけるサブフレーム＃ｉ＋１０及び図１１におけるサブフレーム＃ｉ＋１０、＃ｉ＋１１、＃ｉ＋１２）において、ステップＳ１５０２において送信したＰｅｒｓｉｓｔｅｎｔ  Ｓｃｈｅｄｕｌｉｎｇが適用されるユーザデータの、再送のためのＤｏｗｎｌｉｎｋ  Ｓｃｈｅｄｕｌｉｎｇ  Ｉｎｆｏｒｍａｔｉｏｎと再送のユーザデータを送信する。【００９０】
基地局装置２００は、移動局１００ｎから、上りリンクの制御チャネルを受信し、該上りリンクの制御チャネルに含まれるＡｃｋｎｏｗｌｅｄｇｅｍｅｎｔ  ｉｎｆｏｒｍａｔｉｏｎ（ＡＣＫ／ＮＡＣＫ）として、ＮＡＣＫが受信されたか否かを判断する(ステップＳ１５０８)。【００９１】
ＮＡＣＫが受信された場合（ステップＳ１５０８：ＹＥＳ）、ステップＳ１５０６に戻る。一方、ＮＡＣＫが受信されない場合、すなわち、ＡＣＫである場合（ステップＳ１５０８：ＮＯ）、終了する。【００９２】
上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例が説明されたが、本発明に係る移動局、基地局装置、移動通信システム及び通信制御方法は、共有チャネルを用いた通信を行う他のシステムにも適用可能である。【００９３】
説明の便宜上、発明の理解を促すため具体的な数値例を用いて説明されるが、特に断りのない限り、それらの数値は単なる一例に過ぎず適切な如何なる値が使用されてよい。【００９４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【００９５】
本国際出願は、２００７年８月１４日に出願した日本国特許出願２００７−２１１５８９号に基づく優先権を主張するものであり、２００７−２１１５８９の全内容を本国際出願に援用する。
【図１】
2009022669.tif 000003
【図２】
2009022669.tif 000004
【図３】
2009022669.tif 000005
【図４】
2009022669.tif 000006
【図５】
2009022669.tif 000007
【図６】
2009022669.tif 000008
【図７】
2009022669.tif 000009
【図８】
2009022669.tif 000010
【図９】
2009022669.tif 000011
【図１０】
2009022669.tif 000012
【図１１】
2009022669.tif 000013
【図１２】
2009022669.tif 000014
【図１３】
2009022669.tif 000015
【図１４】
2009022669.tif 000016
【図１５】
2009022669.tif 000017
【国際調査報告】
2009022669.tif 000018
2009022669.tif 000019